【手続補正書】
【提出日】令和3年9月27日(2021.9.27)
【手続補正１】
【補正対象書類名】明細書
【補正対象項目名】０００９
【補正方法】変更
【補正の内容】
【０００９】
本開示に係る内視鏡は、挿入管の先端部に組み込まれ、観察窓を通して観察箇所を撮像する撮像部と、前記観察窓の周囲に配設され、前記観察箇所を照明する第１の照明光を出力する第１光出力部と、前記観察窓の周囲に配設され、前記観察箇所を照明する第２の照明光を前記第１光出力部よりも大きい角度範囲に出力する第２光出力部と、前記撮像部の外側に並設された複数の出射端を有するライトガイドファイバと、該ライトガイドファイバの入射端に光を入射する光源と、前記出射端の並設域の外側に並設された複数の発光素子と、前記観察窓の周囲に配設され、前記出射端及び発光素子の並設域を覆う配光レンズとを備え、前記第１光出力部は、前記ライトガイドファイバ、光源及び配光レンズを含み、前記第２光出力部は、前記発光素子及び配光レンズを含む。
【手続補正２】
【補正対象書類名】明細書
【補正対象項目名】００１０
【補正方法】変更
【補正の内容】
【００１０】
また、前記第２光出力部による第２の照明光の角度範囲は、前記撮像部の視野角以上である。
【手続補正３】
【補正対象書類名】明細書
【補正対象項目名】００１１
【補正方法】変更
【補正の内容】
【００１１】
また、前記撮像部は、１８０°以上の視野角を有する。
【手続補正４】
【補正対象書類名】明細書
【補正対象項目名】００１２
【補正方法】変更
【補正の内容】
【００１２】
また、前記第１の照明光は、狭帯域光であり、前記第２の照明光は、白色光である。
【手続補正５】
【補正対象書類名】明細書
【補正対象項目名】００１３
【補正方法】変更
【補正の内容】
【００１３】
本開示に係る内視鏡装置は、挿入管の先端部に組み込まれ、観察窓を通して観察箇所を撮像する撮像部、前記観察窓の周囲に配設され、前記観察箇所を照明する第１の照明光を出力する第１光出力部、前記観察窓の周囲に配設され、前記観察箇所を照明する第２の照明光を前記第１光出力部よりも大きい角度範囲に出力する第２光出力部、前記撮像部の外側に並設された複数の第１の発光素子、前記第１の発光素子の並設域の外側に並設された複数の第２の発光素子、及び前記観察窓の周囲に配設され、前記第１の発光素子及び第２の発光素子の並設域を覆う配光レンズを備え、前記第１光出力部は、前記第１の発光素子及び配光レンズを含み、前記第２光出力部は、前記第２の発光素子及び配光レンズを含む内視鏡と、前記第１光出力部又は前記第２光出力部による照明下での前記撮像部の撮像画像を周縁部をマスク処理して出力する画像処理部とを備える。
【手続補正６】
【補正対象書類名】明細書
【補正対象項目名】００１４
【補正方法】変更
【補正の内容】
【００１４】
本開示に係る内視鏡装置は、挿入管の先端部に組み込まれ、観察窓を通して観察箇所を撮像する撮像部、前記観察窓の周囲に配設され、前記観察箇所を照明する第１の照明光を出力する第１光出力部、前記観察窓の周囲に配設され、前記観察箇所を照明する第２の照明光を前記第１光出力部よりも大きい角度範囲に出力する第２光出力部、前記撮像部の外側に並設された複数の出射端を有するライトガイドファイバ、該ライトガイドファイバの入射端に光を入射する光源、前記出射端の並設域の外側に並設された複数の発光素子、及び前記観察窓の周囲に配設され、前記出射端及び発光素子の並設域を覆う配光レンズを備え、前記第１光出力部は、前記ライトガイドファイバ、光源及び配光レンズを含み、前記第２光出力部は、前記発光素子及び配光レンズを含む内視鏡と、前記第１光出力部又は第２光出力部による照明下での前記撮像部の撮像画像を周縁部をマスク処理して出力する画像処理部とを備える。
【手続補正７】
【補正対象書類名】特許請求の範囲
【補正対象項目名】全文
【補正方法】変更
【補正の内容】
【特許請求の範囲】
【請求項１】
挿入管の先端部に組み込まれ、観察窓を通して観察箇所を撮像する撮像部と、
前記観察窓の周囲に配設され、前記観察箇所を照明する第１の照明光を出力する第１光出力部と、
前記観察窓の周囲に配設され、前記観察箇所を照明する第２の照明光を前記第１光出力部よりも大きい角度範囲に出力する第２光出力部と、
前記撮像部の外側に並設された複数の第１の発光素子と、
前記第１の発光素子の並設域の外側に並設された複数の第２の発光素子と、
前記観察窓の周囲に配設され、前記第１の発光素子及び第２の発光素子の並設域を覆う配光レンズとを備え、
前記第１光出力部は、前記第１の発光素子及び配光レンズを含み、前記第２光出力部は、前記第２の発光素子及び配光レンズを含む
内視鏡。
【請求項２】
挿入管の先端部に組み込まれ、観察窓を通して観察箇所を撮像する撮像部と、
前記観察窓の周囲に配設され、前記観察箇所を照明する第１の照明光を出力する第１光出力部と、
前記観察窓の周囲に配設され、前記観察箇所を照明する第２の照明光を前記第１光出力部よりも大きい角度範囲に出力する第２光出力部と、
前記撮像部の外側に並設された複数の出射端を有するライトガイドファイバと、
該ライトガイドファイバの入射端に光を入射する光源と、
前記出射端の並設域の外側に並設された複数の発光素子と、
前記観察窓の周囲に配設され、前記出射端及び発光素子の並設域を覆う配光レンズとを備え、
前記第１光出力部は、前記ライトガイドファイバ、光源及び配光レンズを含み、前記第２光出力部は、前記発光素子及び配光レンズを含む
内視鏡。
【請求項３】
前記第２光出力部による第２の照明光の角度範囲は、前記撮像部の視野角以上である請求項１または請求項２に記載の内視鏡。
【請求項４】
前記撮像部は、１８０°以上の視野角を有する請求項１から請求項３のいずれか１つに記載の内視鏡。
【請求項５】
前記第１の照明光は、狭帯域光であり、前記第２の照明光は、白色光である請求項１から請求項４のいずれか１つに記載の内視鏡。
【請求項６】
挿入管の先端部に組み込まれ、観察窓を通して観察箇所を撮像する撮像部、前記観察窓の周囲に配設され、前記観察箇所を照明する第１の照明光を出力する第１光出力部、前記観察窓の周囲に配設され、前記観察箇所を照明する第２の照明光を前記第１光出力部よりも大きい角度範囲に出力する第２光出力部、前記撮像部の外側に並設された複数の第１の発光素子、前記第１の発光素子の並設域の外側に並設された複数の第２の発光素子、及び前記観察窓の周囲に配設され、前記第１の発光素子及び第２の発光素子の並設域を覆う配光レンズを備え、前記第１光出力部は、前記第１の発光素子及び配光レンズを含み、前記第２光出力部は、前記第２の発光素子及び配光レンズを含む内視鏡と、
前記第１光出力部又は前記第２光出力部による照明下での前記撮像部の撮像画像を周縁部をマスク処理して出力する画像処理部とを備える内視鏡装置。
【請求項７】
挿入管の先端部に組み込まれ、観察窓を通して観察箇所を撮像する撮像部、前記観察窓の周囲に配設され、前記観察箇所を照明する第１の照明光を出力する第１光出力部、前記観察窓の周囲に配設され、前記観察箇所を照明する第２の照明光を前記第１光出力部よりも大きい角度範囲に出力する第２光出力部、  前記撮像部の外側に並設された複数の出射端を有するライトガイドファイバ、該ライトガイドファイバの入射端に光を入射する光源、前記出射端の並設域の外側に並設された複数の発光素子、及び前記観察窓の周囲に配設され、前記出射端及び発光素子の並設域を覆う配光レンズを備え、前記第１光出力部は、前記ライトガイドファイバ、光源及び配光レンズを含み、前記第２光出力部は、前記発光素子及び配光レンズを含む内視鏡と、
前記第１光出力部又は前記第２光出力部による照明下での前記撮像部の撮像画像を周縁部をマスク処理して出力する画像処理部とを備える内視鏡装置。
【請求項８】
前記第１光出力部による照明下での撮像画像又は前記第２光出力部による照明下での撮像画像を交互に取得し、並べて表示させる請求項６または請求項７に記載の内視鏡装置。